(57)【特許請求の範囲】
【請求項１】
データが伝送される伝送期間と、冗長信号が送信される付加期間と、が交互に設定され、受信側で前記冗長信号に基づいて同期しながら受信が行われる無線通信を妨害する通信妨害装置において、
前記無線通信により送信される無線信号を受信する受信部と、
前記受信部によって受信された信号に基づいて前記付加期間を検出する検出部と、
前記受信された信号の中から、前記検出部によって検出された付加期間と、前記検出された付加期間の直前の期間であって前記伝送期間を含む期間と、の信号を抽出する抽出部と、
前記抽出部によって抽出された信号を前記検出された付加期間より後に無線送信する送信部と、
を備えることを特徴とする通信妨害装置。
【請求項２】
前記送信部は、前記抽出された信号を、前記検出された付加期間の次の前記付加期間までの間に繰り返し送信することを特徴とする請求項１に記載の通信妨害装置。
【請求項３】
前記検出部によって前記付加期間が所定時間以上検出されなかった場合に前記受信部による前記無線信号の受信を停止させる制御部を備えることを特徴とする請求項１または２に記載の通信妨害装置。
【請求項４】
前記受信部による前記無線信号の受信と、前記送信部による信号の送信と、を交互に実行させる制御部を備えることを特徴とする請求項１〜３のいずれか一つに記載の通信妨害装置。
【請求項５】
前記冗長信号は、前記付加期間とは異なる各伝送期間のうちの、前記冗長信号が送信される前記付加期間の直後の伝送期間の前記無線信号を複製した信号であり、
前記検出部は、前記受信された信号のうちの、前記伝送期間の長さだけ異なる各時点の信号の比較結果に基づいて前記付加期間を検出することを特徴とする請求項１〜４のいずれか一つに記載の通信妨害装置。
【請求項６】
前記無線信号は、直交周波数分割多重された信号であることを特徴とする請求項１〜５のいずれか一つに記載の通信妨害装置。
【請求項７】
データが伝送される伝送期間と、冗長信号が送信される付加期間と、が交互に設定され、受信側で前記冗長信号に基づいて同期しながら受信が行われる無線通信を妨害する通信妨害装置において、
前記無線通信により送信される無線信号を受信する受信部と、
前記受信部によって受信された信号に基づいて前記付加期間を検出する検出部と、
前記受信された信号の中から、前記検出部によって検出された付加期間の直前の期間であって前記伝送期間を含む期間の信号を抽出する抽出部と、
前記抽出部によって抽出された信号を前記検出された付加期間より後に無線送信する送信部と、
を備えることを特徴とする通信妨害装置。
【請求項８】
データが伝送される伝送期間と、冗長信号が送信される付加期間と、が交互に設定され、受信側で前記冗長信号に基づいて同期しながら受信が行われる無線通信を妨害する通信妨害方法において、
前記無線通信により送信される無線信号を受信し、
受信した信号に基づいて前記付加期間を検出し、
前記受信した信号の中から、検出した前記付加期間と、前記検出した付加期間の直前の期間であって前記伝送期間を含む期間と、の信号を抽出し、
抽出した信号を前記検出した付加期間より後に無線送信することを特徴とする通信妨害方法。
【請求項９】
データが伝送される伝送期間と、冗長信号が送信される付加期間と、が交互に設定され、受信側で前記冗長信号に基づいて同期しながら受信が行われる無線通信を妨害する通信妨害方法において、
前記無線通信により送信される無線信号を受信し、
受信した信号に基づいて前記付加期間を検出し、
前記受信した信号の中から、検出した前記付加期間の直前の期間であって前記伝送期間を含む期間の信号を抽出し、
抽出した信号を前記検出した付加期間より後に無線送信することを特徴とする通信妨害方法。
【発明の詳細な説明】
【技術分野】
【０００１】
本発明は、通信妨害装置および通信妨害方法に関する。
【背景技術】
【０００２】
従来の通信妨害の例として、妨害対象の無線通信において使用される可能性のある帯域内に均一に分散された妨害電波を出力し、帯域内の通信妨害を行うパワー妨害がある。また、無線通信におけるデジタル変調の１つとして、互いに直交する複数の搬送波（サブキャリア）にデータを乗せるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）が知られている。また、ＯＦＤＭにおいて、ガードインターバルを利用してシンボル同期を行う技術が知られている（たとえば、下記特許文献１参照。）。
【先行技術文献】
【特許文献】
【０００３】
【特許文献１】特開平７−９９４８６号公報
【発明の概要】
【発明が解決しようとする課題】
【０００４】
しかしながら、上述した従来の通信妨害技術では、通信を効率よく妨害することができないという問題がある。たとえばパワー妨害では、妨害対象の無線通信において使用される可能性のある帯域を包含する広い帯域に対して妨害波を発生させるため、消費電力が大きくなる。
【０００５】
本発明は、上述した従来技術による問題点を解消するため、通信を効率よく妨害することができる通信妨害装置および通信妨害方法を提供することを目的とする。
【課題を解決するための手段】
【０００６】
上述した課題を解決し、目的を達成するため、本発明の一側面によれば、データが伝送される伝送期間と、冗長信号が送信される付加期間と、が交互に設定され、受信側で前記冗長信号に基づいて同期しながら受信が行われる無線通信を妨害する場合において、前記無線通信により送信される無線信号を受信し、受信した信号に基づいて前記付加期間を検出し、前記受信した信号の中から、検出した前記付加期間と、前記検出した付加期間の直前の期間であって前記伝送期間を含む期間と、の信号を抽出し、抽出した信号を前記検出した付加期間より後に無線送信する通信妨害装置および通信妨害方法が提案される。
【０００７】
また、本発明の別の側面によれば、データが伝送される伝送期間と、冗長信号が送信される付加期間と、が交互に設定され、受信側で前記冗長信号に基づいて同期しながら受信が行われる無線通信を妨害する場合において、前記無線通信により送信される無線信号を受信し、受信した信号に基づいて前記付加期間を検出し、前記受信した信号の中から、検出した前記付加期間の直前の期間であって前記伝送期間を含む期間の信号を抽出し、抽出した信号を前記検出した付加期間より後に無線送信する通信妨害装置および通信妨害方法が提案される。
【発明の効果】
【０００８】
本発明の一側面によれば、通信を効率よく妨害することができるという効果を奏する。
【図面の簡単な説明】
【０００９】
【図１】図１は、実施の形態にかかる通信妨害装置の一例を示す図である。
【図２−１】図２−１は、通信妨害装置による通信妨害の一例を示す図である。
【図２−２】図２−２は、通信妨害装置による通信妨害の他の例を示す図である。
【図３】図３は、通信妨害装置の構成の一例を示す図である。
【図４】図４は、デジタル処理部の構成の一例を示す図である。
【図５】図５は、ＩＱ検波部の構成の一例を示す図である。
【図６】図６は、ＩＱ合成部の構成の一例を示す図である。
【図７】図７は、妨害対象の信号の一例を示す図である。
【図８】図８は、相関値のピーク値の一例を示す図である。
【図９】図９は、同期検出動作の一例を示す図である。
【図１０】図１０は、送信動作の一例を示す図である。
【図１１】図１１は、タイミング生成部によるタイミングの制御の一例を示す図である。
【図１２】図１２は、受信処理の一例を示すフローチャートである。
【図１３】図１３は、受信処理の変形例を示すフローチャートである。
【図１４】図１４は、送信処理の一例を示すフローチャートである。
【図１５】図１５は、通信妨害の例１を示す図（その１）である。
【図１６】図１６は、通信妨害の例１を示す図（その２）である。
【図１７】図１７は、通信妨害の例２を示す図（その１）である。
【図１８】図１８は、通信妨害の例２を示す図（その２）である。
【図１９】図１９は、通信妨害の例３を示す図（その１）である。
【図２０】図２０は、通信妨害の例３を示す図（その２）である。
【発明を実施するための形態】
【００１０】
以下に添付図面を参照して、本発明にかかる通信妨害装置および通信妨害方法の実施の形態を詳細に説明する。
【００１１】
（実施の形態）
図１は、実施の形態にかかる通信妨害装置の一例を示す図である。図１に示すように、通信システム１００は、無線通信機１０１と、無線通信機１０２と、通信妨害装置１１０と、を含んでいる。無線通信機１０１と無線通信機１０２は、互いに無線通信を行う。たとえば、無線通信機１０１は、無線通信機１０２へ無線信号１２１を送信する。無線信号１２１は、たとえばＯＦＤＭ（直交周波数分割多重）方式の無線信号である。
【００１２】
具体的には、送信側の無線通信機１０１は、送信すべきデータを、互いに直交する複数のサブキャリアに分割して送信する。これにより、サブキャリア間の干渉をなくしてサブキャリアの周波数間隔を狭め、無線周波数の利用効率を高くすることができる。受信側の無線通信機１０２は、たとえば離散フーリエ変換を用いて、サブキャリア間の直交性を利用して各サブキャリアを分離することによってデータの復調を行う。
【００１３】
また、無線通信機１０１から無線通信機１０２への無線通信においては、付加期間が周期的に設定される。付加期間は、たとえばＯＦＤＭにおいて、シンボル間干渉を抑えるためにシンボル間に設定されるガードインターバルである。以下、付加期間がガードインターバルである場合について説明する。ガードインターバルにおいては、無線通信機１０１が冗長信号を送信する。無線通信機１０２は、ガードインターバルにおいて送信される冗長信号に基づいて同期しながら、無線信号１２１のシンボル期間の受信を行う。
【００１４】
通信妨害装置１１０は、たとえば、無線通信機１０１から無線通信機１０２への無線通信を妨害する。具体的には、通信妨害装置１１０は、受信アンテナ１１１と、受信部１１２と、検出部１１３と、抽出部１１４と、送信部１１５と、送信アンテナ１１６と、を備えている。受信部１１２は、無線通信機１０１から無線通信機１０２への無線通信により無線通信機１０１から送信される無線信号１２１を、受信アンテナ１１１を介して受信する。受信部１１２は、受信した信号を検出部１１３および抽出部１１４へ出力する。
【００１５】
検出部１１３は、受信部１１２から出力された信号に基づいて、無線信号１２１に設定されたガードインターバルを検出する。たとえば、ガードインターバルの長さは既知であり、検出部１１３は、ガードインターバルの開始タイミングを検出する。検出部１１３は、検出したガードインターバルを抽出部１１４へ通知する。
【００１６】
たとえば、無線信号１２１に含まれる冗長信号は、ガードインターバルとは異なる各伝送期間のうちの、冗長信号が送信されるガードインターバルの直後の伝送期間の無線信号１２１を複製した信号である。この場合は、検出部１１３は、受信部１１２から出力された信号のうちの、伝送期間の長さだけ異なる各時点の信号の比較結果に基づいてガードインターバルを検出することができる。ただし、検出部１１３によるガードインターバルの検出方法はこれに限らない。たとえば、検出部１１３は、受信部１１２から出力された信号の位相の変化を検出することによってガードインターバルを検出してもよい。
【００１７】
抽出部１１４は、受信部１１２から出力された信号の中から、検出部１１３から通知されたガードインターバルの信号を抽出する。たとえば、抽出部１１４は、受信部１１２から出力された信号の中から、検出部１１３から通知されたガードインターバルのすべての信号を抽出する。または、抽出部１１４は、受信部１１２から出力された信号の中から、検出部１１３から通知されたガードインターバルの一部の信号を抽出してもよい。また、抽出部１１４が抽出する信号には、ガードインターバルの前後の信号も含まれていてもよい。これにより、無線通信機１０１によってガードインターバルにおいて送信された冗長信号の少なくとも一部を含む信号を抽出することができる。抽出部１１４は、抽出した信号を送信部１１５へ出力する。
【００１８】
送信部１１５は、抽出部１１４から出力された信号を、送信アンテナ１１６を介して妨害波１２２として無線送信する。また、送信部１１５は、抽出部１１４から出力された信号を、検出部１１３によって検出されたガードインターバルより後に送信する。たとえば、送信部１１５は、抽出部１１４から出力された信号を、一定時間遅延させてから無線送信する。または、送信部１１５は、ガードインターバルの終了時間を検出部１１３から取得し、取得した終了時間まで待ってから信号を無線送信してもよい。
【００１９】
図１に示した通信妨害装置１１０によれば、妨害対象の無線信号１２１におけるガードインターバル部分の冗長信号を傍受し、傍受した冗長信号を遅延させて無線送信することができる。これにより、受信側の無線通信機１０２において、ガードインターバルの冗長信号による同期が困難になる。このため、無線通信を効率よく妨害することができる。
【００２０】
また、送信部１１５は、抽出部１１４から出力された信号を、検出部１１３から通知されたガードインターバルの次のガードインターバルまでの間に繰り返し送信してもよい。これにより、受信側の無線通信機１０２において、ガードインターバルの冗長信号による同期を困難にすることができる。
【００２１】
また、通信妨害装置１１０は、検出部１１３によってガードインターバルが所定時間以上検出されなかった場合に、受信部１１２による無線信号の受信を停止させる制御部を備えていてもよい。これにより、妨害対象の無線信号１２１の送信がなくなった場合に、受信部１１２による無線信号の受信を自動的に停止させることができる。このため、たとえば消費電力を抑えることができる。
【００２２】
また、通信妨害装置１１０は、受信部１１２による無線信号の受信と、送信部１１５による信号の送信と、を交互に実行させる制御部を備えていてもよい。これにより、検出部１１３は、送信部１１５によって冗長信号が送信されていない状態においてガードインターバルを検出することができる。このため、送信部１１５によって妨害波として送信された冗長信号が受信部１１２へ回り込み、検出部１１３によるガードインターバルの検出が困難になることを回避することができる。
【００２３】
（通信妨害装置による通信妨害）
つぎに、図１に示した通信妨害装置１１０による通信妨害の例について説明する。
【００２４】
図２−１は、通信妨害装置による通信妨害の一例を示す図である。図２−１において、横軸は時間を示している。無線信号２１０は、受信部１１２によって受信される妨害対象の無線信号であり、たとえば図１に示した無線信号１２１である。無線信号２１０には、データが伝送されるシンボル期間２１１，２１２，２１３，…（伝送期間）と、冗長信号が送信されるガードインターバル２２１，２２２，…と、が交互に設定されている。
【００２５】
検出期間２３１，２３２，…は、検出部１１３によって検出されるガードインターバルである。図２−１に示す例では、検出期間２３１，２３２，…として、無線信号２１０のうちのガードインターバル２２１，２２２，…が検出部１１３によって検出されている。
【００２６】
抽出信号２４１，２４２，…は、抽出部１１４によって抽出される信号である。図２−１に示す例では、無線信号２１０のうちの検出期間２３１，２３２，…の各部分が抽出されることにより、抽出信号２４１，２４２，…として、ガードインターバル２２１，２２２，…の各信号が抽出されている。
【００２７】
送信信号２５１，２５２，…は、送信部１１５によって送信される信号であり、たとえば図１に示した妨害波１２２である。図２−１に示す例では、送信信号２５１，２５２，…として、抽出信号２４１，２４２，…として抽出されたガードインターバル２２１，２２２，…の各信号が送信されている。
【００２８】
受信信号２６０は、受信側の無線通信機１０２において受信される信号を示している。受信信号２６０は、無線信号２１０に対して送信信号２５１，２５２，…を合成した信号となる。このため、受信信号２６０においては、ガードインターバル２２１，２２２，…の各信号がそれぞれ遅延して複製されている。このため、無線通信機１０２において、ガードインターバル２２１，２２２，…に基づくシンボル同期を困難にすることができる。すなわち、無線通信機１０２は、受信信号２６０におけるシンボルの境界を判別しにくいため、シンボル期間２１１，２１２，２１３，…の各信号を受信することが困難になる。
【００２９】
図２−２は、通信妨害装置による通信妨害の他の例を示す図である。図２−２において、図２−１に示した部分と同様の部分については同一の符号を付して説明を省略する。抽出部１１４は、受信部１１２から出力された信号の中から、検出部１１３から通知されたガードインターバルの直前の信号を抽出してもよい。
【００３０】
図２−２に示す例では、抽出信号２４１，２４２，２４２，…は、シンボル期間２１１，２１２，２１３，…のそれぞれの末尾期間２１１ａ，２１２ａ，２１３ａ，…の各信号となる。したがって、送信信号２５１，２５２，…も、末尾期間２１１ａ，２１２ａ…の各信号となる。
【００３１】
このため、受信信号２６０においては、末尾期間２１１ａ，２１２ａ，２１３ａ，…の各信号がそれぞれ遅延し、それぞれガードインターバル２２１，２２２，２２３を超えて複製されている。このため、シンボル期間２１１，２１２，２１３，…の間の干渉（シンボル間干渉）が発生し、シンボル期間２１１，２１２，２１３，…の各信号の復調を困難にすることができる。このため、無線通信機１０２は、シンボル期間２１１，２１２，…の各信号を受信することが困難になる。
【００３２】
また、抽出部１１４は、受信部１１２から出力された信号の中から、検出部１１３から通知されたガードインターバルと、検出部１１３から通知されたガードインターバルの直前の期間と、の信号を抽出してもよい。これにより、受信信号２６０においては、ガードインターバル２２１，２２２，…の各信号（たとえば図２−１参照）と、末尾期間２１１ａ，２１２ａ，２１３ａ，…の各信号（たとえば図２−２参照）と、が複製される。このため、ガードインターバル２２１，２２２，…に基づくシンボル同期を困難にするとともに、シンボル間干渉を発生させ、シンボル期間２１１，２１２，２１３，…の各信号の復調をさらに困難にすることができる。
【００３３】
（通信妨害装置の構成）
図３は、通信妨害装置の構成の一例を示す図である。図３に示す通信妨害装置３００は、図１に示した通信妨害装置１１０の構成例である。図３−１に示すように、通信妨害装置３００は、受信アンテナ３１１と、受信側スイッチ３１２と、局部信号発生器３１３と、周波数変換器３１４と、バンドパスフィルタ３１５と、Ａ／Ｄ変換器３１６と、デジタル処理部３２０と、Ｄ／Ａ変換器３３１と、局部信号発生器３３２と、周波数変換器３３３と、送信側スイッチ３３４と、送信アンテナ３３５と、送受信切替制御部３４０と、を備えている。
【００３４】
図１に示した受信アンテナ１１１は、たとえば受信アンテナ３１１によって実現することができる。図１に示した受信部１１２は、たとえば局部信号発生器３１３、周波数変換器３１４、バンドパスフィルタ３１５およびＡ／Ｄ変換器３１６によって実現することができる。図１に示した検出部１１３および抽出部１１４は、たとえばデジタル処理部３２０によって実現することができる。図１に示した送信部１１５は、たとえばＤ／Ａ変換器３３１、局部信号発生器３３２および周波数変換器３３３によって実現することができる。図１に示した送信アンテナ１１６は、たとえば送信アンテナ３３５によって実現することができる。
【００３５】
受信アンテナ３１１は、空中からのＲＦ（Ｒａｄｉｏ  Ｆｒｅｑｕｅｎｃｙ：高周波）信号を受信し、受信したＲＦ信号を受信側スイッチ３１２へ出力する。受信側スイッチ３１２（ＳＷ）は、送受信切替制御部３４０の制御により、ＲＦ信号（通信波）の受信処理のオン／オフを切り替える。具体的には、受信側スイッチ３１２は、オンのときは受信アンテナ３１１からのＲＦ信号を周波数変換器３１４へ出力する。また、受信側スイッチ３１２は、オフのときは受信アンテナ３１１からのＲＦ信号を周波数変換器３１４へ出力しない。
【００３６】
局部信号発生器３１３は、局部信号（ローカル信号）を生成する。局部信号発生器３１３は、生成した局部信号を周波数変換器３１４へ出力する。周波数変換器３１４は、受信側スイッチ３１２から出力されたＲＦ信号を、局部信号発生器３１３から出力された局部信号とミキシング（混合）することによりＩＦ（Ｉｎｔｅｒｍｅｄｉａｔｅ  Ｆｒｅｑｕｅｎｃｙ：中間周波数）帯の周波数に変換する。周波数変換器３１４は、ＩＦ帯に変換したＩＦ信号をバンドパスフィルタ３１５へ出力する。なお、局部信号発生器３１３の局部信号の周波数（すなわち変換するＩＦ帯）は、あらかじめユーザによって設定しておくことができる。
【００３７】
バンドパスフィルタ３１５（ＢＰＦ：Ｂａｎｄ  Ｐａｓｓ  Ｆｉｌｔｅｒ）は、周波数変換器３１４から出力されたＩＦ信号のうちの、妨害対象の帯域（妨害対象帯域）のＩＦ信号を抽出して通過させる。これにより、通信妨害の対象の帯域を限定することができる。バンドパスフィルタ３１５を通過したＩＦ信号は、Ａ／Ｄ変換器３１６へ出力される。なお、バンドパスフィルタ３１５が抽出する帯域は、あらかじめユーザによって設定しておくことができる。また、バンドパスフィルタ３１５を省いた構成としてもよい。
【００３８】
Ａ／Ｄ変換器３１６（Ａｎａｌｏｇ／Ｄｉｇｉｔａｌ）は、バンドパスフィルタ３１５から出力されたＩＦ信号をアナログ信号からデジタル信号に変換する。Ａ／Ｄ変換器３１６は、デジタル信号に変換した信号をデジタル処理部３２０へ出力する。
【００３９】
デジタル処理部３２０は、Ａ／Ｄ変換器３１６から出力された信号に基づくデジタル処理を行い、妨害波データを生成する。デジタル処理部３２０は、生成した妨害波データのＩＦ信号をＤ／Ａ変換器３３１へ出力する。また、デジタル処理部３２０は、送受信切替制御部３４０に対して送受信切替指示信号を出力する。デジタル処理部３２０はたとえばＦＰＧＡ（Ｆｉｅｌｄ  Ｐｒｏｇｒａｍｍａｂｌｅ  Ｇａｔｅ  Ａｒｒａｙ）などの演算手段によって実現することができる。デジタル処理部３２０の構成については後述する（たとえば図４参照）。
【００４０】
Ｄ／Ａ変換器３３１（Ｄｉｇｉｔａｌ／Ａｎａｌｏｇ）は、デジタル処理部３２０から出力されたＩＦ信号をデジタル信号からアナログ信号に変換する。Ｄ／Ａ変換器３３１は、アナログ信号に変換したＩＦ信号を周波数変換器３３３へ出力する。
【００４１】
局部信号発生器３３２は、局部信号（ローカル信号）を生成する。局部信号発生器３３２は、生成した局部信号を周波数変換器３３３へ出力する。周波数変換器３３３は、Ｄ／Ａ変換器３３１から出力されたＩＦ信号を、局部信号発生器３３２から出力された局部信号とミキシングすることによりＲＦ帯（高周波数帯）に変換する。周波数変換器３３３は、ＲＦ帯に変換したＲＦ信号を送信側スイッチ３３４へ出力する。
【００４２】
送信側スイッチ３３４（ＳＷ）は、送受信切替制御部３４０の制御により、ＲＦ信号（妨害波）の送信のオン／オフを切り替える。具体的には、送信側スイッチ３３４は、オンのときは周波数変換器３３３からのＲＦ信号を送信アンテナ３３５へ出力する。また、送信側スイッチ３３４は、オフのときは周波数変換器３３３からのＲＦ信号を送信アンテナ３３５へ出力しない。送信アンテナ３３５は、送信側スイッチ３３４から出力されたＲＦ信号を妨害波として空中へ送信する。
【００４３】
送受信切替制御部３４０は、通信波の受信と、妨害波の送信と、を交互に実行させる制御部である。具体的には、送受信切替制御部３４０は、受信側スイッチ３１２をオンにするとともに送信側スイッチ３３４をオフにすることにより、通信波の受信を実行させる。また、送受信切替制御部３４０は、受信側スイッチ３１２をオフにするとともに送信側スイッチ３３４をオンにすることにより、妨害波の送信を実行させる。
【００４４】
たとえば、送受信切替制御部３４０は、デジタル処理部３２０から出力される送受信切替指示信号に基づいて、通信波の受信と妨害波の送信とを周期的に切り替える。送受信切替制御部３４０は、たとえばＦＰＧＡなどの演算手段によって実現することができる。また、送受信切替制御部３４０は、デジタル処理部３２０に組み込まれていてもよい。
【００４５】
（デジタル処理部の構成の一例）
図４は、デジタル処理部の構成の一例を示す図である。図４に示すように、デジタル処理部３２０（たとえば図３参照）は、数値制御発振部４０１と、ＩＱ検波部４０２と、タイミング生成部４０３と、受信波メモリ４０４〜４０８と、メモリ制御部４０９，４１０と、相関検出部４１１と、シンボル同期判定部４１２と、加算部４１３，４１４と、数値制御発振部４１５と、ＩＱ合成部４１６と、を備えている。
【００４６】
数値制御発振部４０１（ＮＣＯ：Ｎｕｍｅｒｉｃａｌｌｙ  Ｃｏｎｔｒｏｌｌｅｄ  Ｏｓｃｉｌｌａｔｏｒ）は、周期的な信号を発振し、発振した信号をＩＱ検波部４０２へ出力する。ＩＱ検波部４０２は、デジタル処理部３２０へ入力されたＩＦ信号を、数値制御発振部４０１から出力された信号に基づいてＩＱ検波することによりＩ信号およびＱ信号に分離する。ＩＱ検波部４０２は、分離したＩ信号およびＱ信号（Ｉ，Ｑ）を出力する。ＩＱ検波部４０２から出力されたＩ信号およびＱ信号は、受信波メモリ４０４〜４０８および相関検出部４１１へ出力される。ＩＱ検波部４０２の構成については後述する（たとえば図５参照）。
【００４７】
タイミング生成部４０３は、シンボル同期判定部４１２から出力される相関検出パルスに基づいて、受信タイミング信号、同期検出タイミング信号および送信タイミング信号を生成する。受信タイミング信号は、ＩＱ検波部４０２から受信波メモリ４０４〜４０８へ出力されたＩ信号およびＱ信号を、受信波メモリ４０４〜４０８に記憶させる期間（受信ウィンドウ）を示す信号である。受信タイミング信号は、メモリ制御部４０９，４１０へ出力される。
【００４８】
同期検出タイミング信号は、シンボル同期の検出を行う期間を示す信号である。同期検出タイミング信号は、メモリ制御部４０９へ出力される。送信タイミング信号は、受信波メモリ４０５〜４０８に記憶されたＩ信号およびＱ信号を読み出して妨害波として送信する期間を、受信波メモリ４０４〜４０８のそれぞれについて示す信号である。送信タイミング信号は、メモリ制御部４１０へ出力される。タイミング生成部４０３による各タイミングの制御については後述する（たとえば図１１参照）。
【００４９】
受信波メモリ４０４（＃０）は、同期検出用に受信波を記憶するメモリである。受信波メモリ４０４は、メモリ制御部４０９による制御にしたがって、ＩＱ検波部４０２から出力されたＩ信号およびＱ信号を記憶する。また、受信波メモリ４０４は、メモリ制御部４０９の制御にしたがって、記憶したＩ信号およびＱ信号を相関検出部４１１へ出力する。
【００５０】
受信波メモリ４０５〜４０８（＃１〜＃４）は、妨害用に受信波を記憶するメモリである。受信波メモリ４０５〜４０８は、メモリ制御部４１０による制御にしたがって、ＩＱ検波部４０２から出力されたＩ信号およびＱ信号を記憶する。また、受信波メモリ４０５〜４０８は、メモリ制御部４１０の制御にしたがって、記憶したＩ信号およびＱ信号を出力する。受信波メモリ４０５〜４０８から出力されたＩ信号は加算部４１３へ出力される。受信波メモリ４０５〜４０８から出力されたＱ信号は加算部４１４へ出力される。
【００５１】
メモリ制御部４０９は、タイミング生成部４０３から出力される受信タイミング信号が示す期間（受信ウィンドウ）に、ＩＱ検波部４０２からのＩ信号およびＱ信号を記憶するように受信波メモリ４０４を制御する。また、メモリ制御部４０９は、タイミング生成部４０３から出力される同期検出タイミング信号が示す期間に、記憶したＩ信号およびＱ信号を出力するように受信波メモリ４０４を制御する。
【００５２】
メモリ制御部４１０は、タイミング生成部４０３から出力される受信タイミング信号が示す期間に、ＩＱ検波部４０２からのＩ信号およびＱ信号を記憶するように受信波メモリ４０５〜４０８を制御する。また、メモリ制御部４０９は、タイミング生成部４０３から出力される送信タイミング信号が示す期間に、記憶したＩ信号およびＱ信号を出力するように受信波メモリ４０５〜４０８を制御する。
【００５３】
相関検出部４１１は、ＩＱ検波部４０２から出力されたＩ信号およびＱ信号と、受信波メモリ４０４から出力されたＩ信号およびＱ信号と、の相関値のピーク値を検出する。たとえば、相関検出部４１１は、ＩＱ検波部４０２から出力されたＩ信号およびＱ信号と、受信波メモリ４０４から出力されたＩ信号およびＱ信号の複素共役と、を乗算し、乗算結果の移動平均を算出することによって相関値のピーク値を算出する。移動平均の期間は、たとえばガードインターバルの長さＴｇ（たとえば図７参照）である。相関検出部４１１は、検出したピーク値をシンボル同期判定部４１２へ出力する。
【００５４】
シンボル同期判定部４１２は、相関検出部４１１から出力されたピーク値に基づいてシンボル同期の判定を行う。具体的には、シンボル同期判定部４１２は、タイミング生成部４０３から現在出力されている受信タイミング信号が示す受信ウィンドウのタイミングが、妨害対象の信号のガードインターバルのタイミングと一致しているか否かを判定する。たとえば、シンボル同期判定部４１２は、相関検出部４１１から出力されたピーク値を閾値と比較することによってシンボル同期を判定する（たとえば図８参照）。シンボル同期判定部４１２は、判定結果を示す相関検出パルスをタイミング生成部４０３へ出力する。
【００５５】
加算部４１３は、受信波メモリ４０５〜４０８から異なるタイミングにより出力されたＩ信号を加算してＩＱ合成部４１６へ出力する。加算部４１４は、受信波メモリ４０５〜４０８から異なるタイミングにより出力されたＱ信号を加算してＩＱ合成部４１６へ出力する。
【００５６】
数値制御発振部４１５（ＮＣＯ）は、周期的な信号を発振し、発振した信号をＩＱ合成部４１６へ出力する。ＩＱ合成部４１６は、加算部４１３，４１４から出力されたＩ信号およびＱ信号を、数値制御発振部４１５から出力された信号に基づいて合成してＩＦ信号に変換する。ＩＱ合成部４１６は、変換したＩＦ信号を出力する。ＩＱ合成部４１６の構成については後述する（たとえば図６参照）。
【００５７】
図４に示したように、デジタル処理部３２０は、受信波データを格納する４つのメモリ（受信波メモリ４０５〜４０８）を備えている。これにより、タイミングの異なる４系統の受信波データを重複させた妨害波（たとえば図１０参照）を容易に生成することができる。ただし、受信波データを格納するメモリの数は１〜３または５以上でもよい。また、受信波メモリ４０４〜４０８はデジタル処理部３２０の外部に設けられていてもよい。
【００５８】
（ＩＱ検波部の構成）
図５は、ＩＱ検波部の構成の一例を示す図である。図５に示すように、ＩＱ検波部４０２（たとえば図４参照）は、位相シフタ５０１と、ミキサ５０２，５０３と、ローパスフィルタ５０４，５０５と、を備えている。位相シフタ５０１は、数値制御発振部４０１から出力された信号を９０［°］遅延させ、遅延させた信号をミキサ５０２へ出力する。
【００５９】
ミキサ５０２は、ＩＱ検波部４０２へ入力されたＩＦ信号と、位相シフタ５０１から出力された信号と、をミキシングし、ミキシングにより得られた信号をローパスフィルタ５０４へ出力する。ミキサ５０３は、ＩＱ検波部４０２へ入力されたＩＦ信号と、数値制御発振部４０１から出力された信号と、をミキシングし、ミキシングにより得られた信号をローパスフィルタ５０５へ出力する。
【００６０】
ローパスフィルタ５０４（ＬＰＦ：Ｌｏｗ  Ｐａｓｓ  Ｆｉｌｔｅｒ）は、ミキサ５０２から出力された信号の低周波成分を抽出することにより不要波成分を除去する。ローパスフィルタ５０４は、抽出した信号をＩ信号として出力する。ローパスフィルタ５０５（ＬＰＦ）は、ミキサ５０３から出力された信号の低周波成分を抽出することにより不要波成分を除去する。ローパスフィルタ５０５は、抽出した信号をＱ信号として出力する。
【００６１】
（ＩＱ合成部の構成）
図６は、ＩＱ合成部の構成の一例を示す図である。図６に示すように、ＩＱ合成部４１６（たとえば図４参照）は、位相シフタ６０１と、ミキサ６０２，６０３と、加算部６０４と、を備えている。位相シフタ６０１は、数値制御発振部４１５から出力された信号を９０［°］遅延させ、遅延させた信号をミキサ６０２へ出力する。
【００６２】
ミキサ６０２は、ＩＱ合成部４１６へ入力されたＩ信号と、位相シフタ６０１から出力された信号と、をミキシングし、ミキシングにより得られたＩＦ信号を加算部６０４へ出力する。ミキサ６０３は、ＩＱ合成部４１６へ入力されたＱ信号と、数値制御発振部４１５から出力された信号と、をミキシングし、ミキシングにより得られたＩＦ信号を加算部６０４へ出力する。加算部６０４は、ミキサ６０２から出力されたＩＦ信号と、ミキサ６０３から出力されたＩＦ信号と、を加算し、加算結果のＩＦ信号を出力する。
【００６３】
（妨害対象の信号）
図７は、妨害対象の信号の一例を示す図である。図７の横軸は時間を示している。図７の縦軸方向は信号強度を示している。妨害対象信号７００は、妨害対象のＯＦＤＭ信号の１周期である。妨害対象信号７００には、ガードインターバル７１０と、シンボル期間７２０と、が含まれている。
【００６４】
ガードインターバル７１０の長さをＴｇとする。シンボル期間７２０の長さを１／ｆ０とする。すなわち、ｆ０は、妨害対象信号７００の基本周波数である。妨害対象信号７００のうちのガードインターバル７１０の部分は、直後のシンボル期間７２０の末尾における長さＴｇの末尾期間７２１の信号を複製した冗長信号となっている。
【００６５】
図４に示した相関検出部４１１は、妨害対象信号７００のうちの、同期検出タイミング信号が示す期間の信号と、同期検出タイミング信号が示す期間より１／ｆ０だけ前の期間の信号と、の相関値のピーク値を検出する。これにより、同期検出タイミング信号が示す期間が末尾期間７２１と一致している場合に、同じ信号であるガードインターバル７１０と末尾期間７２１との各信号の相関が検出され、相関値のピーク値が大きくなる。
【００６６】
このように、ガードインターバル７１０において送信される冗長信号は、たとえば、各シンボル期間（各伝送期間）のうちのガードインターバル７１０の直後のシンボル期間７２０の無線信号を複製した信号である。この場合は、デジタル処理部３２０は、受信信号のうちの、伝送期間の長さ１／ｆ０だけ異なる各時点の信号の比較結果に基づいてガードインターバル７１０を検出することができる。
【００６７】
（相関検出部から出力される相関値のピーク値）
図８は、相関値のピーク値の一例を示す図である。図８の横軸は時間（サンプル数）を示している。図８の縦軸は、相関検出部４１１から出力されるピーク値（相関ピーク値）を絶対値により示している。ピーク値特性８１０は、相関検出部４１１から出力されるピーク値の時間に対する特性を示している。シンボル同期判定部４１２は、たとえば、相関検出部４１１からのピーク値が所定の閾値８０１を超えた場合はシンボル同期されていると判定し、ピーク値が所定の閾値８０１を超えていない場合はシンボル同期されていないと判定する。
【００６８】
（同期検出動作のタイムチャート）
図９は、同期検出動作の一例を示す図である。図９において、妨害対象信号９１０は、妨害対象のＯＤＦＭ信号を示している。妨害対象信号９１０には、シンボル期間（Ｄａｔａ）とガードインターバル（ＧＩ：Ｇｕａｒｄ  Ｉｎｔｅｒｖａｌ）と、が交互に設定されている。図９に示す同期検出動作の前に、シンボル同期に成功しているものとする。デジタル処理部３２０は、妨害対象信号９１０のガードインターバル９１１の付近に受信ウィンドウ９２０を設定する。
【００６９】
受信ウィンドウ９２０のウィンドウ長９２１は、たとえば、ガードインターバル９１１の長さの２倍以上とする。また、受信ウィンドウ９２０のタイミングは、たとえば、ガードインターバル９１１と、ガードインターバル９１１の直前のウィンドウ長９２１の期間と、が受信ウィンドウ９２０に含まれるタイミングとする。デジタル処理部３２０は、妨害対象信号９１０のうちの受信ウィンドウ９２０における受信データ９３１〜９３３を受信波メモリ４０５〜４０８に格納する。
【００７０】
相関検出部４１１は、符号９０１，９０２に示すように、ガードインターバル９１１の先頭から１シンボル長シフトしたタイミングにおいて、受信波メモリ４０５から読み出した受信波データと次の受信ウィンドウで受信した受信波データとの相関を検出する。相関検出パルス９４０は、相関検出部４１１から出力される相関検出パルスである。相関検出パルス９４０は、受信ウィンドウ９２０の前半部分において、相関値のピーク値が検出された場合はＨｉｇｈとなる信号である。
【００７１】
（送信動作のタイムチャート）
図１０は、送信動作の一例を示す図である。図１０において、図３に示した部分と同様の部分については同一の符号を付して説明を省略する。図９に示した同期検出動作によってシンボル同期を行った後に、図１０に示す送信動作を行う。同期検出期間１０１０は、相関検出部４１１およびシンボル同期判定部４１２によってシンボル同期の検出が行われる期間である。
【００７２】
送信データ１０２１〜１０２４は、それぞれ受信波メモリ４０５〜４０８（＃１〜＃４）から読み出されて送信されるデータを示している。送信データ１０２１〜１０２４に示すように、デジタル処理部３２０は、受信波メモリ４０５〜４０８に格納された受信データを繰り返し送信させる。また、デジタル処理部３２０は、送信データ１０２１〜１０２４にそれぞれ時間差を与える。
【００７３】
これにより、たとえば先頭の受信ウィンドウ９２０において記憶された受信データ９３１が、それぞれ時間的に重なりながら連続送信される。受信側の無線通信機１０２には、送信データ１０２１〜１０２４が加算されて到達するため、無線通信機１０２における妨害対象信号９１０の受信を困難にすることができる（たとえば図１５〜図２０参照）。
【００７４】
（タイミング生成部によるタイミングの制御）
図１１は、タイミング生成部によるタイミングの制御の一例を示す図である。図１１において、図１０に示した部分と同様の部分については同一の符号を付して説明を省略する。受信信号入力状態１１１０は、受信側スイッチ３１２のオン／オフの状態を示している。送信信号出力状態１１２０は、送信側スイッチ３３４のオン／オフの状態を示している。受信信号入力状態１１１０および送信信号出力状態１１２０は、タイミング生成部４０３から送受信切替制御部３４０へ出力される送受信切替信号によって制御される。
【００７５】
タイミング生成部４０３は、受信ウィンドウ９２０においては、受信信号入力状態１１１０をオンにし、送信信号出力状態１１２０をオフにする。これにより、図９に示した同期検出動作を行うことができる。また、タイミング生成部４０３は、受信ウィンドウ９２０とは異なる期間においては、受信信号入力状態１１１０をオフにし、送信信号出力状態１１２０をオンにする。これにより、図１０に示した送信動作を行うことができる。
【００７６】
受信タイミング信号１１３０は、タイミング生成部４０３がメモリ制御部４０９，４１０へ出力する受信タイミング信号である。受信タイミング信号１１３０は、受信ウィンドウ９２０を示す信号である。
【００７７】
同期検出タイミング信号１１４０は、タイミング生成部４０３がメモリ制御部４０９へ出力する同期検出タイミング信号である。同期検出タイミング信号１１４０は、受信タイミング信号１１３０が示す受信ウィンドウ９２０の前半部分の期間である同期検出期間１０１０を示す信号である。
【００７８】
送信タイミング信号１１５１〜１１５４は、タイミング生成部４０３がメモリ制御部４１０へ出力する送信タイミング信号である。送信タイミング信号１１５１〜１１５４は、それぞれ受信波メモリ４０５〜４０８（＃１〜＃４）に記憶された受信波データを読み出して送信するタイミングを示している。タイミング生成部４０３は、送信タイミング信号１１５１〜１１５４が示す各タイミングをずらすことで、送信データ１０２１〜１０２４にそれぞれ時間差を与える。
【００７９】
（受信処理）
図１２は、受信処理の一例を示すフローチャートである。通信妨害装置３００は、受信処理として、たとえば以下の各ステップを繰り返し実行する。まず、タイミング生成部４０３が、受信ウィンドウ９２０がＨｉｇｈになっているか否かを判断する（ステップＳ１２０１）。受信ウィンドウ９２０がＨｉｇｈになっている場合（ステップＳ１２０１：Ｙｅｓ）は、送受信切替制御部３４０が、受信側スイッチ３１２がオンになっているか否かを判断する（ステップＳ１２０２）。
【００８０】
ステップＳ１２０２において、受信側スイッチ３１２がオンになっている場合（ステップＳ１２０２：Ｙｅｓ）は、通信妨害装置３００は、ステップＳ１２０４へ移行する。受信側スイッチ３１２がオンになっていない場合（ステップＳ１２０２：Ｎｏ）は、送受信切替制御部３４０が、受信側スイッチ３１２をオンにする（ステップＳ１２０３）。
【００８１】
つぎに、受信アンテナ３１１が、無線通信機１０１から無線送信された通信波を受信する（ステップＳ１２０４）。つぎに、周波数変換器３１４が、ステップＳ１２０４によって受信された通信波の周波数をＩＦ帯に変換する（ステップＳ１２０５）。つぎに、バンドパスフィルタ３１５が、ステップＳ１２０５によって周波数がＩＦ帯に変換された信号のうちの、妨害対象帯域の信号を抽出する（ステップＳ１２０６）。
【００８２】
つぎに、Ａ／Ｄ変換器３１６が、ステップＳ１２０６によって抽出された信号をデジタル信号に変換する（ステップＳ１２０７）。つぎに、ＩＱ検波部４０２が、ステップＳ１２０７によってデジタル信号に変換された信号をＩ信号およびＱ信号に分離するＩＱ検波を行う（ステップＳ１２０８）。つぎに、メモリ制御部４０９およびメモリ制御部４１０が、ステップＳ１２０８のＩＱ検波によって得られた受信波データを受信波メモリ４０４〜４０８（＃０〜＃４）に記憶させる（ステップＳ１２０９）。
【００８３】
つぎに、メモリ制御部４０９が、同期検出期間１０１０になったか否かを判断する（ステップＳ１２１０）。同期検出期間１０１０になっていない場合（ステップＳ１２１０：Ｎｏ）は、通信妨害装置３００は、ステップＳ１２０１へ戻る。同期検出期間１０１０になった場合（ステップＳ１２１０：Ｙｅｓ）は、メモリ制御部４０９が、受信波メモリ４０４（＃０）から受信波データを読み出す（ステップＳ１２１１）。
【００８４】
つぎに、相関検出部４１１が、ＩＱ検波部４０２から出力された現在の受信波データと、ステップＳ１２１１によって読み出された受信波データと、の相関値を検出する（ステップＳ１２１２）。つぎに、相関検出部４１１が、シンボル同期の判定タイミングか否かを判断する（ステップＳ１２１３）。シンボル同期の判定タイミングは、たとえば同期検出期間１０１０の終了タイミングである。
【００８５】
ステップＳ１２１３において、判定タイミングでない場合（ステップＳ１２１３：Ｎｏ）は、通信妨害装置３００は、ステップＳ１２０１へ戻る。判定タイミングである場合（ステップＳ１２１３：Ｙｅｓ）は、相関検出部４１１が相関値のピーク値を算出し、シンボル同期判定部４１２が、ピーク値が閾値を超えたか否かを判断する（ステップＳ１２１４）。これにより、シンボル同期に成功したか否かを判定することができる。
【００８６】
ステップＳ１２１４において、ピーク値が閾値を超えた場合（ステップＳ１２１４：Ｙｅｓ）は、シンボル同期に成功したと判断することができる。この場合は、通信妨害装置３００は、ステップＳ１２０１へ戻る。ピーク値が閾値を超えていない場合（ステップＳ１２１４：Ｎｏ）は、シンボル同期に成功していないと判断することができる。この場合は、タイミング生成部４０３が、受信タイミング信号１１３０の調整により受信ウィンドウ９２０のタイミングを変更し（ステップＳ１２１５）、ステップＳ１２０１へ戻る。ステップＳ１２１５において、タイミング生成部４０３は、たとえば、受信ウィンドウ９２０のタイミングを一定量だけ遅延させる。
【００８７】
ステップＳ１２０１において、受信ウィンドウ９２０がＨｉｇｈになっていない場合（ステップＳ１２０１：Ｎｏ）は、送受信切替制御部３４０が、受信側スイッチ３１２をオフにし（ステップＳ１２１６）、一連の受信処理を終了する。
【００８８】
図１３は、受信処理の変形例を示すフローチャートである。通信妨害装置３００は、図１３に示す各ステップを繰り返し実行してもよい。図１３に示すステップＳ１３０１〜Ｓ１３１５は、図１２に示したステップＳ１２０１〜Ｓ１２１５と同様である。ステップＳ１３１５のつぎに、タイミング生成部４０３が、ステップＳ１３１５による受信ウィンドウ９２０のタイミングの累積変更量が、妨害対象信号９１０のシンボル長（たとえばＴｇ）を超えたか否かを判断する（ステップＳ１３１６）。
【００８９】
ステップＳ１３１６において、累積変更量がシンボル長を超えていない場合（ステップＳ１３１６：Ｎｏ）は、通信妨害装置３００はステップＳ１３０１へ戻る。累積変更量がシンボル長を超えた場合（ステップＳ１３１６：Ｙｅｓ）は、送受信切替制御部３４０が受信側スイッチ３１２をオフにし（ステップＳ１３１７）、一連の受信処理を終了する。
【００９０】
このように、所定時間以上、ガードインターバルの検出（シンボル同期の成功）がなかった場合に、受信動作を停止させるようにしてもよい。これにより、妨害対象の無線信号の送信がなくなった場合に、通信妨害装置３００による受信動作を自動的に停止することができる。このため、たとえば消費電力を抑えることができる。
【００９１】
（送信処理）
図１４は、送信処理の一例を示すフローチャートである。通信妨害装置３００は、送信処理として、たとえば以下の各ステップを繰り返し実行する。まず、タイミング生成部４０３が、受信ウィンドウ９２０がＬｏｗになっているか否かを判断する（ステップＳ１４０１）。受信ウィンドウ９２０がＬｏｗになっている場合（ステップＳ１４０１：Ｙｅｓ）は、送受信切替制御部３４０が、送信側スイッチ３３４がオンになっているか否かを判断する（ステップＳ１４０２）。
【００９２】
ステップＳ１４０２において、送信側スイッチ３３４がオンになっている場合（ステップＳ１４０２：Ｙｅｓ）は、通信妨害装置３００は、ステップＳ１４０４，Ｓ１４０６，Ｓ１４０８，Ｓ１４１０へ移行する。送信側スイッチ３３４がオンになっていない場合（ステップＳ１４０２：Ｎｏ）は、送受信切替制御部３４０が、送信側スイッチ３３４をオンにする（ステップＳ１４０３）。
【００９３】
つぎに、メモリ制御部４１０が、受信波メモリ４０５（＃１）に記憶された受信波データの送信タイミング信号１１５１か否かを判断する（ステップＳ１４０４）。送信タイミング信号１１５１でない場合（ステップＳ１４０４：Ｎｏ）は、メモリ制御部４１０はステップＳ１４０５をスキップする。この場合は、受信波メモリ４０５から加算部４１３，４１４へゼロデータが出力される。送信タイミング信号１１５１である場合（ステップＳ１４０４：Ｙｅｓ）は、メモリ制御部４１０が、受信波メモリ４０５（＃１）から受信波データを読み出す（ステップＳ１４０５）。ステップＳ１４０５によって読み出された受信波データは加算部４１３，４１４へ出力される。
【００９４】
また、メモリ制御部４１０が、受信波メモリ４０６（＃２）に記憶された受信波データの送信タイミング信号１１５２か否かを判断する（ステップＳ１４０６）。送信タイミング信号１１５２でない場合（ステップＳ１４０６：Ｎｏ）は、メモリ制御部４１０はステップＳ１４０７をスキップする。この場合は、受信波メモリ４０６から加算部４１３，４１４へゼロデータが出力される。送信タイミング信号１１５２である場合（ステップＳ１４０６：Ｙｅｓ）は、メモリ制御部４１０が、受信波メモリ４０６（＃２）から受信波データを読み出す（ステップＳ１４０７）。ステップＳ１４０５によって読み出された受信波データは加算部４１３，４１４へ出力される。
【００９５】
また、メモリ制御部４１０が、受信波メモリ４０７（＃３）に記憶された受信波データの送信タイミング信号１１５３か否かを判断する（ステップＳ１４０８）。送信タイミング信号１１５３でない場合（ステップＳ１４０８：Ｎｏ）は、メモリ制御部４１０はステップＳ１４０９をスキップする。この場合は、受信波メモリ４０７から加算部４１３，４１４へゼロデータが出力される。送信タイミング信号１１５３である場合（ステップＳ１４０８：Ｙｅｓ）は、メモリ制御部４１０が、受信波メモリ４０７（＃３）から受信波データを読み出す（ステップＳ１４０９）。ステップＳ１４０９によって読み出された受信波データは加算部４１３，４１４へ出力される。
【００９６】
また、メモリ制御部４１０が、受信波メモリ４０８（＃４）に記憶された受信波データの送信タイミング信号１１５４か否かを判断する（ステップＳ１４１０）。送信タイミング信号１１５４でない場合（ステップＳ１４１０：Ｎｏ）は、メモリ制御部４１０はステップＳ１４１１をスキップする。この場合は、受信波メモリ４０７から加算部４１３，４１４へゼロデータが出力される。送信タイミング信号１１５４である場合（ステップＳ１４１０：Ｙｅｓ）は、メモリ制御部４１０が、受信波メモリ４０８（＃４）から受信波データを読み出す（ステップＳ１４１１）。ステップＳ１４１１によって読み出された受信波データは加算部４１３，４１４へ出力される。
【００９７】
つぎに、加算部４１３，４１４が、受信波メモリ４０５〜４０８からの受信波データを加算する（ステップＳ１４１２）。つぎに、ＩＱ合成部４１６が、ステップＳ１４１２によって加算された受信波データをＩＱ合成してＩＦ信号に変換する（ステップＳ１４１３）。つぎに、Ｄ／Ａ変換器３３１が、ステップＳ１４１３によって変換されたＩＦ信号をアナログ信号に変換する（ステップＳ１４１４）。
【００９８】
つぎに、周波数変換器３３３が、ステップＳ１４１４によってアナログ信号に変換されたＩＦ信号の周波数をＲＦ帯に変換する（ステップＳ１４１５）。つぎに、送信アンテナ３３５が、ステップＳ１４１５によってＲＦ帯に変換された信号を妨害波として空中へ送信し（ステップＳ１４１６）、ステップＳ１４０１へ戻る。
【００９９】
ステップＳ１４０１において、受信ウィンドウ９２０がＬｏｗになっていない場合（ステップＳ１４０１：Ｎｏ）は、送受信切替制御部３４０が、送信側スイッチ３３４をオフにし（ステップＳ１４１７）、一連の送信処理を終了する。
【０１００】
このように、通信妨害装置３００は、それぞれに受信波データが記憶される複数のメモリを備え、複数のメモリによって記憶された各信号を、それぞれ異なるタイミングで、かつ時間的に重なりを有するように読み出して加算した信号を送信する。これにより、複数の受信波データを重複させた妨害波を容易に生成することができる。複数の受信波データを重複させた妨害波を送信することにより、受信データの繰り返し回数を多くすることができるため、受信側における受信をより困難にすることができる。
【０１０１】
（通信妨害の例１）
図１５は、通信妨害の例１を示す図（その１）である。図１５は、通信妨害の例１にかかる通信妨害装置３００による送信動作を示している。図１５において、図１０に示した部分と同様の部分については同一の符号を付して説明を省略する。ここでは、通信妨害装置３００が、受信波メモリ４０５（＃１）から読み出されて送信される送信データ１０２１のみを妨害波として繰り返し送信しているとする。
【０１０２】
図１６は、通信妨害の例１を示す図（その２）である。図１６は、通信妨害の例１にかかる受信側の無線通信機１０２における受信波を示している。図１６において、図１５に示した部分と同様の部分については同一の符号を付して説明を省略する。受信波１６１０は、無線通信機１０２における受信波を示している。受信波１６１０は、送信側の無線通信機１０１から送信された妨害対象信号９１０（本来の受信波）と、通信妨害装置３００から送信された送信データ１０２１（妨害波）と、が合成された受信波になる。
【０１０３】
したがって、受信波１６１０においては、妨害対象信号９１０のシンボル期間にもガードインターバルが複製され、ガードインターバルによるシンボル同期が困難になっている。このため、無線通信機１０２における受信を困難にすることができる。また、受信波１６１０においては、妨害対象信号９１０のシンボル期間の末尾が、次の周期のシンボル期間に複製され、ガードインターバルを超えた遅延波として受信される。このため、シンボル間干渉が発生してシンボル期間の復調が困難になり、無線通信機１０２における受信をさらに困難にすることができる。
【０１０４】
（通信妨害の例２）
図１７は、通信妨害の例２を示す図（その１）である。図１７は、通信妨害の例２にかかる通信妨害装置３００による送信動作を示している。図１７において、図１５に示した部分と同様の部分については同一の符号を付して説明を省略する。通信妨害の例２においては、送信データ１０２１は、受信データ９３１，９３２，…のうちのガードインターバル９３１ａ，９３２ａ，…を含み、ガードインターバルの直前のシンボル期間の末尾は含んでいない。
【０１０５】
図１８は、通信妨害の例２を示す図（その２）である。図１８は、通信妨害の例２にかかる受信側の無線通信機１０２における受信波を示している。図１８において、図１６に示した部分と同様の部分については同一の符号を付して説明を省略する。
【０１０６】
通信妨害の例２にかかる受信波１６１０においては、妨害対象信号９１０のシンボル期間にもガードインターバルが複製され、ガードインターバルによるシンボル同期が困難になっている。このため、無線通信機１０２における受信を困難にすることができる。このように、ガードインターバルの直前のシンボル期間の末尾が送信データ１０２１に含まれていなくても、無線通信機１０２における受信を困難にすることができる。
【０１０７】
（通信妨害の例３）
図１９は、通信妨害の例３を示す図（その１）である。図１９は、通信妨害の例３にかかる通信妨害装置３００による送信動作を示している。図１９において、図１５に示した部分と同様の部分については同一の符号を付して説明を省略する。通信妨害の例３においては、送信データ１０２１は、受信データ９３１，９３２，…のうちのガードインターバルの直前のシンボル期間の末尾期間９３１ｂ，９３２ｂ，…を含み、ガードインターバルは含んでいない。
【０１０８】
図２０は、通信妨害の例３を示す図（その２）である。図２０は、通信妨害の例３にかかる受信側の無線通信機１０２における受信波を示している。図２０において、図１６に示した部分と同様の部分については同一の符号を付して説明を省略する。
【０１０９】
通信妨害の例３にかかる受信波１６１０においては、妨害対象信号９１０のシンボル期間の末尾が、次の周期のシンボル期間に複製され、ガードインターバルを超えた遅延波として受信される。このため、シンボル間干渉が発生してシンボル期間の復調が困難になり、無線通信機１０２における受信を困難にすることができる。このように、ガードインターバルが送信データ１０２１に含まれていなくても、無線通信機１０２における受信を困難にすることができる。
【０１１０】
図１５〜図２０においては、通信妨害装置３００が、受信波メモリ４０５（＃１）から読み出されて送信される送信データ１０２１のみを妨害波として繰り返し送信する場合について説明した。これに対して、通信妨害装置３００は、さらに、受信波メモリ４０６〜４０８（＃２〜＃４）の送信データ１０２２〜１０２４も重ねあわせて繰り返し送信してもよい。これにより、無線通信機１０２における受信をさらに困難にすることができる。
【０１１１】
このように、実施の形態にかかる通信妨害装置３００によれば、妨害対象のＯＦＤＭ信号におけるガードインターバルの冗長信号を傍受し、傍受した冗長信号を遅延させて無線送信することができる。これにより、受信側においてガードインターバルによるシンボル同期を困難にさせ、無線通信を効率よく妨害することができる。
【０１１２】
具体的には、ガードインターバル部分を妨害波として送信し、シンボル同期を困難にして通信を妨害するため、たとえばパワー妨害を行う場合に比べて、妨害波の送信のための消費電力を抑えることができる。また、たとえばパワー妨害のように、妨害対象信号が送信される可能性のある各周波数に対して妨害波を送信しなくてもよいため、妨害波の送信のための消費電力を抑えることができるとともに、妨害対象ではない帯域の通信に対する影響を抑えることができる。
【０１１３】
なお、上述した実施の形態においてはＯＦＤＭ方式の通信波を妨害対象とする場合について説明したが、ＯＦＤＭ方式以外の各種方式の通信波を妨害対象とすることも可能である。すなわち、たとえば、周期的にガードインターバルが設定され、ガードインターバルを用いてシンボル同期を取りながら受信が行われる無線通信に対して、通信妨害装置３００によってシンボル同期を困難にし、通信を妨害することができる。
【０１１４】
以上説明したように、通信妨害装置および通信妨害方法によれば、通信を効率よく妨害することができる。
【０１１５】
上述した実施の形態に関し、さらに以下の付記を開示する。
【０１１６】
（付記１）冗長信号が送信される付加期間が周期的に設定され、受信側で前記冗長信号に基づいて同期しながら受信が行われる無線通信を妨害する通信妨害装置において、
前記無線通信により送信される無線信号を受信する受信部と、
前記受信部によって受信された信号に基づいて前記付加期間を検出する検出部と、
前記受信された信号の中から、前記検出部によって検出された付加期間の信号を抽出する抽出部と、
前記抽出部によって抽出された信号を前記検出された付加期間より後に無線送信する送信部と、
を備えることを特徴とする通信妨害装置。
【０１１７】
（付記２）前記抽出部は、前記検出された付加期間と、前記検出された付加期間の直前の期間と、の信号を抽出することを特徴とする付記１に記載の通信妨害装置。
【０１１８】
（付記３）前記送信部は、前記抽出された信号を、前記検出された付加期間の次の前記付加期間までの間に繰り返し送信することを特徴とする付記１または２に記載の通信妨害装置。
【０１１９】
（付記４）前記検出部によって前記付加期間が所定時間以上検出されなかった場合に前記受信部による前記無線信号の受信を停止させる制御部を備えることを特徴とする付記１〜３のいずれか一つに記載の通信妨害装置。
【０１２０】
（付記５）前記受信部による前記無線信号の受信と、前記送信部による信号の送信と、を交互に実行させる制御部を備えることを特徴とする付記１〜４のいずれか一つに記載の通信妨害装置。
【０１２１】
（付記６）それぞれに前記抽出された信号が記憶される複数のメモリを備え、
前記送信部は、前記複数のメモリによって記憶された各信号を、それぞれ異なるタイミングで、かつ時間的に重なりを有するように読み出して加算した信号を送信することを特徴とする付記１〜５のいずれか一つに記載の通信妨害装置。
【０１２２】
（付記７）前記冗長信号は、前記付加期間とは異なる各伝送期間のうちの、前記冗長信号が送信される前記付加期間の直後の伝送期間の前記無線信号を複製した信号であり、
前記検出部は、前記受信された信号のうちの、前記伝送期間の長さだけ異なる各時点の信号の比較結果に基づいて前記付加期間を検出することを特徴とする付記１〜６のいずれか一つに記載の通信妨害装置。
【０１２３】
（付記８）前記無線信号は、直交周波数分割多重された信号であることを特徴とする付記１〜７のいずれか一つに記載の通信妨害装置。
【０１２４】
（付記９）冗長信号が送信される付加期間が周期的に設定され、受信側で前記冗長信号に基づいて同期しながら受信が行われる無線通信を妨害する通信妨害装置において、
前記無線通信により送信される無線信号を受信する受信部と、
前記受信部によって受信された信号に基づいて前記付加期間を検出する検出部と、
前記受信された信号の中から、前記検出部によって検出された付加期間の直前の期間の信号を抽出する抽出部と、
前記抽出部によって抽出された信号を前記検出された付加期間より後に無線送信する送信部と、
を備えることを特徴とする通信妨害装置。
【０１２５】
（付記１０）冗長信号が送信される付加期間が周期的に設定され、受信側で前記冗長信号に基づいて同期しながら受信が行われる無線通信を妨害する通信妨害方法において、
前記無線通信により送信される無線信号を受信し、
受信した信号に基づいて前記付加期間を検出し、
前記受信した信号の中から、検出した前記付加期間の信号を抽出し、
抽出した信号を前記検出した付加期間より後に無線送信することを特徴とする通信妨害方法。
【０１２６】
（付記１１）冗長信号が送信される付加期間が周期的に設定され、受信側で前記冗長信号に基づいて同期しながら受信が行われる無線通信を妨害する通信妨害方法において、
前記無線通信により送信される無線信号を受信し、
受信した信号に基づいて前記付加期間を検出し、
前記受信した信号の中から、検出した前記付加期間の直前の期間の信号を抽出し、
抽出した信号を前記検出した付加期間より後に無線送信することを特徴とする通信妨害方法。
【符号の説明】
【０１２７】
１００  通信システム
１０１，１０２  無線通信機
１１０，３００  通信妨害装置
１１１，３１１  受信アンテナ
１１２  受信部
１１３  検出部
１１４  抽出部
１１５  送信部
１１６，３３５  送信アンテナ
１２１，２１０  無線信号
１２２  妨害波
２１１〜２１３，…，７２０  シンボル期間
２１１ａ，２１２ａ，２１３ａ，…，７２１  末尾期間
２２１，２２２，２２３，…，７１０，９１１  ガードインターバル
２３１，２３２  検出期間
２４１，２４２  抽出信号
２５１，２５２  送信信号
２６０  受信信号
３１２  受信側スイッチ
３１３，３３２  局部信号発生器
３１４，３３３  周波数変換器
３１５  バンドパスフィルタ
３１６  Ａ／Ｄ変換器
３２０  デジタル処理部
３３１  Ｄ／Ａ変換器
３３４  送信側スイッチ
３４０  送受信切替制御部
４０１，４１５  数値制御発振部
４０２  ＩＱ検波部
４０３  タイミング生成部
４０４〜４０８  受信波メモリ
４０９，４１０  メモリ制御部
４１１  相関検出部
４１２  シンボル同期判定部
４１３，４１４，６０４  加算部
４１６  ＩＱ合成部
５０１，６０１  位相シフタ
５０２，５０３，６０２，６０３  ミキサ
５０４，５０５  ローパスフィルタ
７００，９１０  妨害対象信号
８０１  閾値
９２０  受信ウィンドウ
９２１  ウィンドウ長
９３１〜９３３  受信データ
９４０  相関検出パルス
１０１０  同期検出期間
１０２１〜１０２４  送信データ
１１１０  受信信号入力状態
１１２０  送信信号出力状態
１１３０  受信タイミング信号
１１４０  同期検出タイミング信号
１１５１〜１１５４  送信タイミング信号
１６１０  受信波
【図１】
0005874460.tif 000002
【図２−１】
0005874460.tif 000003
【図２−２】
0005874460.tif 000004
【図３】
0005874460.tif 000005
【図４】
0005874460.tif 000006
【図５】
0005874460.tif 000007
【図６】
0005874460.tif 000008
【図７】
0005874460.tif 000009
【図８】
0005874460.tif 000010
【図９】
0005874460.tif 000011
【図１０】
0005874460.tif 000012
【図１１】
0005874460.tif 000013
【図１２】
0005874460.tif 000014
【図１３】
0005874460.tif 000015
【図１４】
0005874460.tif 000016
【図１５】
0005874460.tif 000017
【図１６】
0005874460.tif 000018
【図１７】
0005874460.tif 000019
【図１８】
0005874460.tif 000020
【図１９】
0005874460.tif 000021
【図２０】
0005874460.tif 000022